(57)【要約】【課題】  中心導体の変動が少なく、性能の良好な非可逆回路素子を提供する。【解決手段】  本発明の非可逆回路素子において、中心導体５，６は、長手方向に設けられたスリット５ｃ、６ｃと、このスリット５ｃ、６ｃによって分割された少なくとも二条の導体部５ａ、６ａと、スリット５ｃ、６ｃの幅の変動を防止するために、二条の導体部５ａ、６ａ間に設けられた補強部５ｆ、６ｆを有し、補強部５ｆ、６ｆを含む二条の導体部５ａ、６ａがフェライト部材４の上面側に配置されて、フェライト部材４の上面側におけるスリット５ｃ、６ｃの幅の変動を防止したため、中心導体５，６の交叉状態の変動が少なくなって、アイソレーション特性や挿入損失特性のバラツキが小さく、安定した性能を得ることが出来る。【選択図】        図３
2005204164.tif 000002
【特許請求の範囲】
【請求項１】
平板状のフェライト部材と、このフェライト部材の下面側に配置された金属板からなるアース部と、このアース部に連結された状態で、前記フェライト部材の上面側に折り曲げられ、上下方向に一部が交叉する金属板からなる第１，第２，第３の中心導体と、この中心導体上に配置された磁石と、この磁石の上面を覆うように配置された第１のヨークと、前記フェライト部材の下面側に配置され、前記第１のヨークとで磁気閉回路を構成する第２のヨークとを備え、前記中心導体は、長手方向に設けられたスリットと、このスリットによって分割された少なくとも二条の導体部と、前記スリットの幅の変動を防止するために、二条の前記導体部間に設けられた補強部を有し、前記補強部を含む二条の前記導体部が前記フェライト部材の上面側に配置されて、前記フェライト部材の上面側における前記スリットの幅の変動を防止したことを特徴とする非可逆回路素子。
【請求項２】
前記フェライト部材の上面側に位置する前記導体部は屈曲部を有し、前記補強部が前記屈曲部の位置、又は／及び前記屈曲部の近傍の位置に設けられたことを特徴とする請求項１記載の非可逆回路素子。
【請求項３】
前記補強部は、金属板からなる前記導体部と一体に設けられ、二条の前記導体部間を繋ぐ連結部、又は、二条の前記導体部間に接着された絶縁体によって形成されたことを特徴とする請求項２記載の非可逆回路素子。
【請求項４】
前記第１，第２の中心導体には前記屈曲部が設けられると共に、前記第１，第２の中心導体の交叉する箇所には、前記連結部からなる前記補強部が設けられたことを特徴とする請求項３記載の非可逆回路素子。
【請求項５】
前記第１，第２の中心導体の前記導体部は、前記アース部側に近い位置にある第１の前記屈曲部と、前記アース部側に対して前記第１の屈曲部よりも遠い位置にある第２の前記屈曲部とを有して略Ｓ字状をなし、前記第１，第２の中心導体の前記導体部は、前記第１の屈曲部から前記第２の屈曲部の間で交叉したことを特徴とする請求項４記載の非可逆回路素子。
【請求項６】
前記第３の中心導体には、前記第１，第２の中心導体の交叉する箇所において、前記連結部からなる前記補強部が設けられたことを特徴とする請求項４，又は５記載の非可逆回路素子。
【請求項７】
前記補強部は、前記スリットの中心線に対して直交する方向に延びて形成されたことを特徴とする請求項１から６の何れかに記載の非可逆回路素子。
【請求項８】
前記フェライト部材は多角形状を有し、前記中心導体が前記フェライト部材の直線状の辺に対して直角方向に折り曲げられたことを特徴とする請求項１から７の何れかに記載の非可逆回路素子。
【発明の詳細な説明】
【技術分野】
【０００１】
本発明はアンテナ共用器等に適用されるアイソレータやサーキュレータからなる非可逆回路素子に関する。
【背景技術】
【０００２】
従来の非可逆回路素子の図面を説明すると、図９は従来の非可逆回路素子に係る要部の斜視図、図１０は従来の非可逆回路素子に係る中心導体とアース部の展開図である。
【０００３】
次に、従来の非可逆回路素子の構成を図９，図１０に基づいて説明すると、第１，第２，第３の中心導体５１，５２，５３は、図１０に示すように、金属板が打ち抜きされて形成され、中央に位置した円形状のアース部５４から外方に延びて形成されている。
【０００４】
そして、第１，第２，第３の中心導体５１，５２，５３のそれぞれは、長手方向にスリット５１ａ、５２ａ、５３ａが設けられてなる二条の導体部５１ｂ、５２ｂ、５３ｂと、この導体部５１ｃ、５２ｃ、５３ｃの端部に設けられた第１，第２，第３のポート部５１ｄ、５２ｄ、５３ｄとを有する。
【０００５】
また、フェライト部材５５は、平板状で円形をなし、そして、図９に示すように、アース部５４がフェライト部材５５の下面に配置され、この状態で、第１，第２，第３の中心導体５１，５２，５３がフェライト部材５５の側面と上面に沿って折り曲げられて、フェライト部材５５の上面に位置する第１，第２，第３の中心導体５１，５２，５３は、一部が上下方向に交叉した状態で、１２０度の間隔で配置されている。
【０００６】
この時、フェライト部材５５の上面に位置する第１，第２，第３の中心導体５１，５２，５３のそれぞれは、誘電体５６を介して絶縁された状態で上下方向に配置されている。
【０００７】
そして、ここでは図示しないが、このような構成を有した第１，第２，第３の中心導体５１，５２，５３上には磁石が配置されると共に、磁石を含む第１，第２，第３の中心導体５１，５２，５３とフェライト部材５５がヨークによって囲まれて、従来の非可逆回路素子が形成されている。（例えば、特許文献１参照）
【０００８】
しかし、従来の非可逆回路素子における第１，第２，第３の中心導体５１，５２，５３は、長手方向にスリット５１ａ、５２ａ、５３ａが連続した状態で設けられているため、折り曲げられてフェライト部材５５の上面に位置した細幅の導体部５１ｂ、５２ｂ、５３ｂは、不安定となり、スリット５１ａ、５２ａ、５３ａの幅が変動する。
その結果、第１，第２，第３の中心導体５１，５２，５３の交叉状態が変動して、アイソレーション特性や挿入損失特性にバラツキを生じて、性能が悪くなる。
【０００９】
また、フェライト部材５５が円形状に形成されているため、円形状の辺に沿って折り曲げられた二条の導体部５１ｂ、５２ｂ、５３ｂは、互いにスリット５１ａ、５２ａ、５３ａの幅が広がる方向に変動し、その結果、第１，第２，第３の中心導体５１，５２，５３の交叉状態が大きく変動して、アイソレーション特性や挿入損失特性のバラツキが大きくなって、一層性能が悪くなる。
【００１０】
【特許文献１】特開平１０−１０７５１０号公報
【発明の開示】
【発明が解決しようとする課題】
【００１１】
従来の非可逆回路素子における第１，第２，第３の中心導体５１，５２，５３は、長手方向にスリット５１ａ、５２ａ、５３ａが連続した状態で設けられているため、折り曲げられてフェライト部材５５の上面に位置した細幅の導体部５１ｂ、５２ｂ、５３ｂは、不安定となり、スリット５１ａ、５２ａ、５３ａの幅が変動する。
その結果、第１，第２，第３の中心導体５１，５２，５３の交叉状態が変動して、アイソレーション特性や挿入損失特性にバラツキを生じて、性能が悪くなるという問題がある。
【００１２】
また、フェライト部材５５が円形状に形成されているため、円形状の辺に沿って折り曲げられた二条の導体部５１ｂ、５２ｂ、５３ｂは、互いにスリット５１ａ、５２ａ、５３ａの幅が広がる方向に変動し、その結果、第１，第２，第３の中心導体５１，５２，５３の交叉状態が大きく変動して、アイソレーション特性や挿入損失特性のバラツキが大きくなって、一層性能が悪くなるという問題がある。
【００１３】
そこで、本発明は中心導体の変動が少なく、性能の良好な非可逆回路素子を提供することを目的とする。
【課題を解決するための手段】
【００１４】
上記課題を解決するための第１の解決手段として、平板状のフェライト部材と、このフェライト部材の下面側に配置された金属板からなるアース部と、このアース部に連結された状態で、前記フェライト部材の上面側に折り曲げられ、上下方向に一部が交叉する金属板からなる第１，第２，第３の中心導体と、この中心導体上に配置された磁石と、この磁石の上面を覆うように配置された第１のヨークと、前記フェライト部材の下面側に配置され、前記第１のヨークとで磁気閉回路を構成する第２のヨークとを備え、前記中心導体は、長手方向に設けられたスリットと、このスリットによって分割された少なくとも二条の導体部と、前記スリットの幅の変動を防止するために、二条の前記導体部間に設けられた補強部を有し、前記補強部を含む二条の前記導体部が前記フェライト部材の上面側に配置されて、前記フェライト部材の上面側における前記スリットの幅の変動を防止した構成とした。
【００１５】
また、第２の解決手段として、前記フェライト部材の上面側に位置する前記導体部は屈曲部を有し、前記補強部が前記屈曲部の位置、又は／及び前記屈曲部の近傍の位置に設けられた構成とした。
また、第３の解決手段として、前記補強部は、金属板からなる前記導体部と一体に設けられ、二条の前記導体部間を繋ぐ連結部、又は、二条の前記導体部間に接着された絶縁体によって形成された構成とした。
【００１６】
また、第４の解決手段として、前記第１，第２の中心導体には前記屈曲部が設けられると共に、前記第１，第２の中心導体の交叉する箇所には、前記連結部からなる前記補強部が設けられた構成とした。
【００１７】
また、第５の解決手段として、前記第１，第２の中心導体の前記導体部は、前記アース部側に近い位置にある第１の前記屈曲部と、前記アース部側に対して前記第１の屈曲部よりも遠い位置にある第２の前記屈曲部とを有して略Ｓ字状をなし、前記第１，第２の中心導体の前記導体部は、前記第１の屈曲部から前記第２の屈曲部の間で交叉した構成とした。
【００１８】
また、第６の解決手段として、前記第３の中心導体には、前記第１，第２の中心導体の交叉する箇所において、前記連結部からなる前記補強部が設けられた構成とした。
また、第７の解決手段として、前記補強部は、前記スリットの中心線に対して直交する方向に延びて形成された構成とした。
また、第８の解決手段として、前記フェライト部材は多角形状を有し、前記中心導体が前記フェライト部材の直線状の辺に対して直角方向に折り曲げられた構成とした。
【発明の効果】
【００１９】
本発明の非可逆回路素子は、平板状のフェライト部材と、このフェライト部材の下面側に配置された金属板からなるアース部と、このアース部に連結された状態で、フェライト部材の上面側に折り曲げられ、上下方向に一部が交叉する金属板からなる第１，第２，第３の中心導体と、この中心導体上に配置された磁石と、この磁石の上面を覆うように配置された第１のヨークと、フェライト部材の下面側に配置され、第１のヨークとで磁気閉回路を構成する第２のヨークとを備え、中心導体は、長手方向に設けられたスリットと、このスリットによって分割された少なくとも二条の導体部と、スリットの幅の変動を防止するために、二条の導体部間に設けられた補強部を有し、補強部を含む二条の導体部がフェライト部材の上面側に配置されて、フェライト部材の上面側におけるスリットの幅の変動を防止した構成とした。
このように、二条の導体部間に設けられた補強部によって、フェライト部材の上面側に配置されたスリットの幅の変動を防止すると、中心導体の交叉状態の変動が少なくなって、アイソレーション特性や挿入損失特性のバラツキが小さく、安定した性能を得ることが出来る。
【００２０】
また、フェライト部材の上面側に位置する導体部は屈曲部を有し、補強部が屈曲部の位置、又は／及び屈曲部の近傍の位置に設けられたため、中心導体の長さを長くできると共に、屈曲部におけるスリット幅の変動を確実に抑えることができて、性能の良好なものが得られる。
【００２１】
また、補強部は、金属板からなる導体部と一体に設けられ、二条の導体部間を繋ぐ連結部、又は、二条の導体部間に接着された絶縁体によって形成されたため、その構成が簡単で、生産性の良好なものが得られる。
【００２２】
また、第１，第２の中心導体には屈曲部が設けられると共に、第１，第２の中心導体の交叉する箇所には、連結部からなる補強部が設けられたため、中心導体の長さを一層長くできると共に、補強部である連結部が中心導体と一体に形成できて、生産性の良好なものが得られる。
また、第１，第２の中心導体の交叉する箇所には、補強部が設けられているため、中心導体の結合が強くなり、アイソレーション特性の良好なものが得られる。
【００２３】
また、第１，第２の中心導体の導体部は、アース部側に近い位置にある第１の屈曲部と、アース部側に対して第１の屈曲部よりも遠い位置にある第２の屈曲部とを有して略Ｓ字状をなし、第１，第２の中心導体の導体部は、第１の屈曲部から第２の屈曲部の間で交叉したため、中心導体の結合が強くなり、アイソレーション特性の一層良好なものが得られる。
【００２４】
また、第３の中心導体には、第１，第２の中心導体の交叉する箇所において、連結部からなる補強部が設けられたため、第３の中心導体の二条の導体部間に設けられた補強部によって、フェライト部材の上面側に配置されたスリットの幅の変動が防止され、第３の中心導体の交叉状態の変動が少なくなって、アイソレーション特性や挿入損失特性のバラツキが小さく、安定した性能を得ることが出来る。
【００２５】
また、補強部は、スリットの中心線に対して直交する方向に延びて形成されたため、補強部の形成が簡単であると共に、二条の導体部の連結のバランスが良く、その結合の安定し、導体部の変形の少ないものが得られる。
【００２６】
また、フェライト部材は多角形状を有し、中心導体がフェライト部材の直線状の辺に対して直角方向に折り曲げられたため、中心導体の折り曲げが安定し、スリットの幅の変動が少なくなって、アイソレーション特性や挿入損失特性のバラツキが小さく、安定した性能を得ることが出来る。
【発明を実施するための最良の形態】
【００２７】
本発明の非可逆回路素子の図面を説明すると、図１は本発明の非可逆回路素子の第１実施例に係る分解斜視図、図２は本発明の非可逆回路素子の第１実施例に係る要部の断面図、図３は本発明の非可逆回路素子の第１実施例に係り、第１のヨークと磁石を取り去った状態を示す平面図である。
【００２８】
また、図４は本発明の非可逆回路素子の第１実施例に係る磁石の平面図、図５は本発明の非可逆回路素子の第１実施例に係る中心導体とアース部の展開図、図６は本発明の非可逆回路素子の第２実施例に係る中心導体とアース部の展開図、図７は本発明の非可逆回路素子の第３実施例に係る中心導体とアース部の展開図、図８は本発明の非可逆回路素子の第４実施例に係り、第１のヨークと磁石を取り去った状態を示す平面図である。
【００２９】
次に、本発明の非可逆回路素子の第１実施例をアイソレータに適用した場合の構成を図１〜図５に基づいて説明すると、箱形の磁性板（鉄板等）からなる第１のヨーク１は、正方形（四角形状）の上板１ａと、この上板１ａの４辺から下方に折り曲げられた側板１ｂとを有する。
【００３０】
長方形状（四角形状）の磁石２は、箱形の第１のヨーク１内に位置した状態で、その上面が上板１ａの内面に接触した状態で、接着剤等の適宜手段によって第１のヨーク１に取り付けられている。
【００３１】
箱形の磁性板（鉄板等）からなる第２のヨーク３は、四角形状の底板３ａと、この底板３ａの対向する２辺から上方に折り曲げられた２つの側板３ｂとを有する。
そして、この第２のヨーク３は、底板３ａが上板１ａと対向して配置された状態で、その側板３ｂが第１のヨーク１の側板１ｂと結合されて、磁気閉回路が形成される。
【００３２】
ＹＩＧ（Ｙｔｔｒｉｕｍ  ｉｒｏｎ  ｇａｒｎｅｔ）等からなる多角形状（八角形状）で平板状のフェライト部材４は、２辺が互いに対向する長辺４ａと、２辺が互いに対向する短辺４ｂと、四角に設けられた面取り部である傾斜部４ｃとを有する。
【００３３】
銅等の薄い導電板からなる第１、第２，第３の中心導体５、６，７は、図５に示すように、金属板が打ち抜きされて形成され、中央に位置した八角形状のアース部８から外方に延びて形成されている。
【００３４】
そして、第１，第２、第３の中心導体５，６、７のそれぞれは、長手方向にスリット５ｃ、６ｃ、７ｃが設けられて２分割され、互いに平行な二条の導体部５ａ、６ａ、７ａと、この導体部５ａ、６ａ、７ａの端部に設けられた第１，第２、第３のポート部５ｂ、６ｂ、７ｂとを有する。
【００３５】
また、第１，第２の中心導体５，６は、略Ｓ字状をなし、アース部８側に近い位置にある第１の屈曲部５ｄ、６ｄと、アース部８側に対して第１の屈曲部５ｄ、６ｄよりも遠い位置にある第２の屈曲部５ｅ、６ｅと、この第１，第２の屈曲部５ｄ、５ｅ、６ｄ、６ｅの位置とその近傍に跨って、二条の導体部５ａ、６ａ間に設けられた補強部５ｆ、６ｆが設けられている。
【００３６】
そして、補強部５ｆ、６ｆは、導体部５ａ、６ａと一体的に形成された金属板からなる連結部で構成されると共に、この補強部５ｆ、６ｆは、スリット５ｃ、６ｃの幅の変動を防止するために設けられている。
【００３７】
なお、この実施例では、補強部５ｆ、６ｆが第１，第２の屈曲部５ｄ、５ｅ、６ｄ、６ｅの位置とその近傍に跨って設けられたもので説明したが、補強部５ｆ、６ｆが第１，第２の屈曲部５ｄ、５ｅ、６ｄ、６ｅの位置に設けられたものでも良い。
【００３８】
また、第３の中心導体７は、直線状の導体部７ａで形成されており、これ等の第１，第２，第３の中心導体５，６，７は、先ず、アース部８がフェライト部材４の下面に配置され、この状態で、第１，第２，第３の中心導体５，６，７がフェライト部材４の側面と上面に沿って折り曲げられて配置されている。
【００３９】
この時、第１，第２，第３の中心導体５，６，７は、フェライト部材４の上面において、誘電体（図示せず）を挟んで上下方向の異なる面に１２０度の間隔で設けられて、上下方向に一部が交叉して配置されると共に、図３に示すように、第１，第２のポート部５ｂ、６ｂは、フェライト部材４の一方の長辺４ａ側に配置され、また、第３のポート部７ｂは、他方の長辺４ａ側に配置された状態となっている。
【００４０】
即ち、第１，第２の中心導体５，６は、傾斜部４ｃの直線状の辺に、また、第３の中心導体７は長辺４ａの直線状の辺に対して直角方向に折り曲げられ、また、折り曲げられた第１，第２の中心導体５，６は、第１，第２の屈曲部５ｄ、５ｅ、６ｄ、６ｅの間で互いに交叉（重なり合う）すると共に、第３の中心導体７が第１，第２の中心導体５，６の交叉した箇所に交叉した状態となっている。
【００４１】
そして、第１，第２，第３の中心導体５，６，７は、図５の線Ｚの位置で折り曲げられおり、折り曲げられた第１，第２の中心導体５，６の補強部５ｆ、６ｆは、交叉した箇所に位置した状態となっている。
この交叉部における補強部５ｆ、６ｆの面積を大きくすると、第１，第２の中心導体５，６の結合を強くして、アイソレーション特性を向上させることができる反面、挿入損失が大きくなるため、補強部５ｆ、６ｆの大きさを調整することによって、アイソレーション特性と挿入損失特性のバランスの良いものが得られるようになる。
【００４２】
また、図５に示すように、補強部５ｆ、６ｆは、スリット５ｃ、６ｃの中心線Ｓに対して直交する方向に延びて形成されている。
【００４３】
また、合成樹脂の成型品からなる箱形の樹脂ケース９は、上下に貫通した状態で、中央部に設けられた八角形状の第１の収容部９ａと、上下に貫通した状態で、第１の収容部９ａの外側に互いに区画されて設けられた複数個の第２の収容部９ｂを有する。
【００４４】
この樹脂ケース９は、成形加工によって、第２のヨーク３と一体に形成されたり、或いは、第２のヨーク３と別体に形成されたものが、第２のヨーク３内に配置されたりして、第２のヨーク３と組み合わされている。
【００４５】
そして、第１，第２，第３の中心導体５，６，７を取り付けたフェライト部材４が第１の収容部９ａ内に配置された際、樹脂ケース９の下部に配置された第２のヨーク３の底壁３ａには、第１，第２，第３の中心導体５，６，７の一端側であるアース部８が接続された状態となる。
【００４６】
チップ型の第１，第２，第３のコンデンサＣ１，Ｃ２，Ｃ３とチップ型の抵抗器Ｒは、第２の収容部９ｂ内に収容され、第１，第２，第３のコンデンサＣ１，Ｃ２，Ｃ３の下面電極（図示せず）と抵抗器Ｒの一端側の電極（図示せず）は、それぞれ第２のヨーク３の底板３ａに接続されている。
【００４７】
そして、第１、第２の中心導体５，６の第１，第２のポート部５ｂ、６ｂのそれぞれは、第１，第２のコンデンサＣ１，Ｃ２の上面電極（図示せず）に半田付けされると共に、第３の中心導体７の第３のポート部７ｂは、第３のコンデンサＣ３の上面電極（図示せず）と抵抗器Ｒの他端側の電極（図示せず）の上面に半田付して接続されている。
【００４８】
そして、第１，第２のヨーク１，３で磁石２，フェライト部材４、及び樹脂ケース９を挟持した状態で、第１，第２のヨーク１，３を結合して、第１，第２のヨーク１，３とで磁気閉回路が形成され、本発明の非可逆回路素子が構成されている
【００４９】
また、図６は本発明の非可逆回路素子の第２実施例を示し、この第２実施例は、連結部である補強部５ｆ、６ｆが第１，第２の屈曲部５ｄ、５ｅ、６ｄ、６ｅの近傍の位置に設けられたもので、その他の構成は、前記第１実施例と同様であるので、同一部品に同一番号を付し、ここではその説明を省略する。
【００５０】
また、図７は本発明の非可逆回路素子の第３実施例を示し、この第３実施例について説明すると、補強部５ｆ、６ｆが第２実施例の連結部に代えて薄板状の絶縁体で形成され、この絶縁体からなる補強部５ｆ、６ｆが粘着剤や熱圧着等によって二条の導体部５ａ、６ａ間に設けられて、絶縁体からなる補強部５ｆ、６ｆによって、スリット５ｃ、６ｃの幅の変動を防止するようにしたものである。
【００５１】
その他の構成は、前記第２実施例と同様であるので、同一部品に同一番号を付し、ここではその説明を省略する。
なお、この実施例では、絶縁体からなる補強部５ｆ、６ｆが第１，第２の屈曲部５ｄ、５ｅ、６ｄ、６ｅの近傍の位置に設けられたもので説明したが、補強部５ｆ、６ｆは、第１，第２の屈曲部５ｄ、５ｅ、６ｄ、６ｅの位置、又は、第１，第２の屈曲部５ｄ、５ｅ、６ｄ、６ｅの位置を含むその近傍に設けたものでも良い。
【００５２】
また、図８は本発明の非可逆回路素子の第４実施例を示し、この第４実施例は、連結部である補強部７ｆが第３の中心導体７の二条の導体部７ａ間に設けられ、この補強部７ｆが第１，第２の中心導体５，６の交叉箇所に位置して、交叉（重なり合う）するようにしたもので、前記第１実施例と同様であるので、同一部品に同一番号を付し、ここではその説明を省略する。
【００５３】
なお、上記実施例は、アイソレータに適用されたもので説明したが、抵抗器Ｒを無くしたサーキュレータに適用しても良い。
【図面の簡単な説明】
【００５４】
【図１】本発明の非可逆回路素子の第１実施例に係る分解斜視図。
【図２】本発明の非可逆回路素子の第１実施例に係る要部の断面図。
【図３】本発明の非可逆回路素子の第１実施例に係り、第１のヨークと磁石を取り去った状態を示す平面図。
【図４】本発明の非可逆回路素子の第１実施例に係る磁石の平面図。
【図５】本発明の非可逆回路素子の第１実施例に係る中心導体とアース部の展開図。
【図６】本発明の非可逆回路素子の第２実施例に係る中心導体とアース部の展開図。
【図７】本発明の非可逆回路素子の第３実施例に係る中心導体とアース部の展開図。
【図８】本発明の非可逆回路素子の第４実施例に係り、第１のヨークと磁石を取り去った状態を示す平面図。
【図９】従来の非可逆回路素子に係る要部の斜視図。
【図１０】従来の非可逆回路素子に係る中心導体とアース部の展開図。
【符号の説明】
【００５５】
１：第１のヨーク
１ａ：上板
１ｂ：側板
２：磁石
３：第２のヨーク
３ａ：底板
３ｂ：側板
４：フェライト部材
４ａ：長辺
４ｂ：短辺
４ｃ：傾斜部
５：第１の中心導体
５ａ：導体部
５ｂ：第１のポート部
５ｃ：スリット
５ｄ：第１の屈曲部
５ｅ：第２の屈曲部
５ｆ：補強部
６：第２の中心導体
６ａ：導体部
６ｂ：第２のポート部
６ｃ：スリット
６ｄ：第１の屈曲部
６ｅ：第２の屈曲部
６ｆ：補強部
７：第３の中心導体
７ａ：導体部
７ｂ：第３のポート部
７ｃ：スリット
７ｆ：補強部
８：アース部
９：樹脂ケース
９ａ：第１の収容部
９ｂ：第２の収容部
Ｃ１：第１のコンデンサ
Ｃ２：第２のコンデンサ
Ｃ３：第３のコンデンサ
Ｒ：抵抗器
Ｓ：中心線
Ｚ：線
【図１】
2005204164.tif 000003
【図２】
2005204164.tif 000004
【図３】
2005204164.tif 000005
【図４】
2005204164.tif 000006
【図５】
2005204164.tif 000007
【図６】
2005204164.tif 000008
【図７】
2005204164.tif 000009
【図８】
2005204164.tif 000010
【図９】
2005204164.tif 000011
【図１０】
2005204164.tif 000012